(57)【要約】【課題】オモラシ状態を検知するための対象物を管理情報に基づいて管理する。【解決手段】ＩＣタグ１は、対象物のオモラシ状態を検知し、使用者コードと対象物コードと検知結果とを含む検知情報を送信する検知情報送信手段を備え、管理装置１０は、使用者コードと対象物コード毎に、報知内容、報知内容の報知方法を含む管理情報１３ｇと、ＩＣタグ１からの検知情報を受信し、検知結果を該当する管理情報１３ｇに登録する検知情報登録手段と、検知情報登録手段に続いて、管理情報１３ｇの報知内容を報知方法に基づいて報知し、報知日付時刻を管理情報１３ｇに登録する検知情報報知手段と、検知結果にオモラシ状態が設定され、かつ、報知日付時刻に報知間隔時間を加算した日付時刻が現在日付時刻を超過している場合は、報知内容を報知方法に基づいて報知する対象物取替督促手段とを備えた。【選択図】図１
2008217724.tif 000002
【特許請求の範囲】
【請求項１】
オモラシ状態を検知する対象物に装着される電波を利用した認証タグと、前記対象物毎の管理情報を登録した管理装置とを無線通信を介して接続することによって、オモラシ状態を監視するオモラシ監視システムであって、
前記管理装置は、前記管理情報について、当該検知結果にオモラシ状態が設定され、かつ、当該報知時刻に所定の時刻が設定されている場合は、当該報知内容を当該報知方法に基づいて報知して、当該対象物の取り替えを督促する対象物取替督促手段を備えることを特徴とするオモラシ監視システム。
【請求項２】
前記管理情報には、前記対象物を特定する識別コード毎に、検知結果、報知日付時刻、報知間隔時間及び報知方法とが設定され、
前記対象物取替督促手段は、前記検知結果にオモラシ状態が設定され、かつ、前記報知日付時刻に前記報知間隔時間を加算した日付時刻が現在日付時刻を超過している場合は、当該報知内容を前記報知方法に基づいて報知すると共に、前記現在日付時刻を前記報知日付時刻に設定して登録する機能を有することを特徴とする請求項１記載のオモラシ監視システム。
【請求項３】
前記管理装置は、前記報知方法に前記対象物の種類及び前記検知結果の種類に応じて、音声情報、映像情報、文字情報及び光情報のそれぞれが備える複数の情報の中から、任意の情報を選択して設定する設定変更手段を備えることを特徴とする請求項１又は２記載のオモラシ監視システム。
【請求項４】
前記管理情報の前記報知方法には、予め標準方法が設定されており、
前記設定変更手段は、該標準方法の任意の箇所を個別方法に変更して設定する機能を有することを特徴とする請求項１乃至３の何れか１に記載のオモラシ監視システム。
【請求項５】
前記認証タグは、前記識別コードと前記検知結果とを設定した検知情報を送信する検知情報送信手段を備え、
前記管理装置は、前記認証タグからの前記検知情報を受信し、当該検知結果を該当する前記管理情報に登録する検知情報登録手段と、
該検知情報登録手段に続いて、当該管理情報の前記報知内容を前記報知方法に基づいて報知し、当該報知日付時刻を前記管理情報に登録する検知情報報知手段とを備えることを特徴とする請求項１乃至４の何れか１に記載のオモラシ監視システム。
【請求項６】
前記管理情報には、報知先装置が設定され、
前記管理装置は、通信端末と通信ネットワークを介して接続され、
前記検知情報報知手段及び前記対象物取替督促手段は、前記報知先装置に設定されている前記通信端末に前記報知内容を報知する機能を有することを特徴とする請求項１乃至５の何れか１に記載のオモラシ監視システム。
【請求項７】
前記管理情報には、前記報知先装置側における報知確認が設定され、
前記検知情報報知手段は、未確認を設定した前記報知確認を前記管理情報に登録する機能を有し、
前記管理装置は、前記通信端末からの前記報知確認の入力を受け付けて、現在日付時刻を前記報知日付時刻に設定し、スペースを前記報知確認に設定して前記管理情報に登録する報知確認送信手段を備えることを特徴とする請求項６記載のオモラシ監視システム。
【請求項８】
前記管理情報には、報知先、処理種類及び登録日付時刻が設定され、
前記検知情報登録手段は、登録を前記処理種類に、現在日付時刻を前記登録日付時刻に設定する機能を有し、
前記検知情報報知手段は、報知を前記処理種類に、現在日付時刻を前記登録日付時刻に設定する機能を有し、
前記対象物取替督促手段は、督促を前記処理種類に、現在日付時刻を前記登録日付時刻に設定する機能を有し、
前記設定変更手段は、変更を前記処理種類に、現在日付時刻を前記登録日付時刻に設定する機能を有し、
前記報知確認送信手段は、確認を前記処理種類に、現在日付時刻を前記登録日付時刻に設定する機能を有し、
前記管理装置は、前記通信端末からの管理情報照会メニューの選択及び前記報知先の入力を受け付けて、該報知先に基づいて、該当する前記管理情報を取得し、該管理情報を前記識別コード、前記登録日付時刻の昇順に分類して当該通信端末の画面に表示し、照会を前記処理種類に、現在日付時刻を前記登録日付時刻に設定して前記管理情報に登録する管理情報照会手段を備えることを特徴とする請求項７に記載のオモラシ監視システム。
【請求項９】
オモラシ状態を検知する対象物に装着される電波を利用した認証タグと、前記対象物毎の管理情報を登録した管理装置とを無線通信を介して接続されるオモラシ監視システムに用いられ、オモラシ状態を監視するオモラシ監視方法であって、
予め、前記管理情報を前記管理装置に登録する管理情報登録ステップと、
前記管理情報について、当該検知結果にオモラシ状態が設定され、かつ、当該報知時刻に所定の時刻が設定されている場合は、当該報知内容を当該報知方法に基づいて報知して、当該対象物の取り替えを督促する対象物取替督促ステップとを有することを特徴とするオモラシ監視方法。
【請求項１０】
前記管理情報には、前記対象物を特定する識別コード毎に、検知結果、報知日付時刻、報知間隔時間及び報知方法とが設定され、
前記対象物取替督促ステップは、前記検知結果にオモラシ状態が設定され、かつ、前記報知日付時刻に前記報知間隔時間を加算した日付時刻が現在日付時刻を超過している場合は、当該報知内容を前記報知方法に基づいて報知すると共に、前記現在日付時刻を前記報知日付時刻に設定して登録する機能を有することを特徴とする請求項９記載のオモラシ監視方法。
【請求項１１】
前記管理情報の前記報知方法に前記対象物の種類及び前記検知結果の種類に応じて、音声情報、映像情報、文字情報及び光情報のそれぞれが備える複数の情報の中から、任意の情報を選択して設定する設定変更ステップを有することを特徴とする請求項９又は１０記載のオモラシ監視方法。
【請求項１２】
前記管理情報の前記報知方法には、予め標準方法が設定されており、
前記設定変更ステップは、該標準方法の任意の箇所を個別方法に変更して設定する機能を有することを特徴とする請求項９乃至１１の何れか１に記載のオモラシ監視方法。
【請求項１３】
前記識別コードと前記検知結果とを設定した検知情報を送信する検知情報送信ステップと、
前記認証タグからの前記検知情報を受信し、当該検知結果を該当する前記管理情報に登録する検知情報登録ステップと、
該検知情報登録ステップに続いて、当該管理情報の前記報知内容を前記報知方法に基づいて報知し、当該報知日付時刻を前記管理情報に登録する検知情報報知ステップとを有することを特徴とする請求項９乃至１２の何れか１に記載のオモラシ監視方法。
【請求項１４】
前記管理情報には、報知先装置が設定され、
前記管理装置は、通信端末と通信ネットワークを介して接続され、
前記検知情報報知ステップ及び前記対象物取替督促ステップは、前記報知先装置に設定されている前記通信端末に前記報知内容を報知する機能を有することを特徴とする請求項９乃至１３の何れか１に記載のオモラシ監視方法。
【請求項１５】
前記管理情報には、前記報知先装置側における報知確認が設定され、
前記検知情報報知ステップは、未確認を設定した前記報知確認を前記管理情報に登録する機能を有し、
前記通信端末からの前記報知確認の入力を受け付けて、現在日付時刻を前記報知日付時刻に設定し、スペースを前記報知確認に設定して前記管理情報に登録する報知確認送信ステップを有することを特徴とする請求項１４記載のオモラシ監視方法。
【請求項１６】
前記管理情報には、報知先、処理種類及び登録日付時刻が設定され、
前記検知情報登録ステップは、登録を前記処理種類に、現在日付時刻を前記登録日付時刻に設定する機能を有し、
前記検知情報報知ステップは、報知を前記処理種類に、現在日付時刻を前記登録日付時刻に設定する機能を有し、
前記対象物取替督促ステップは、督促を前記処理種類に、現在日付時刻を前記登録日付時刻に設定する機能を有し、
前記設定変更ステップは、変更を前記処理種類に、現在日付時刻を前記登録日付時刻に設定する機能を有し、
前記報知確認送信ステップは、確認を前記処理種類に、現在日付時刻を前記登録日付時刻に設定する機能を有し、
前記通信端末からの管理情報照会メニューの選択及び前記報知先の入力を受け付けて、該報知先に基づいて、該当する前記管理情報を取得し、該管理情報を前記識別コード、前記登録日付時刻の昇順に分類して当該通信端末の画面に表示し、照会を前記処理種類に、現在日付時刻を前記登録日付時刻に設定して前記管理情報に登録する管理情報照会ステップを有することを特徴とする請求項１５に記載のオモラシ監視方法。
【請求項１７】
コンピュータに請求項９乃至１６の何れか１に記載のオモラシ管理方法を実行させることを特徴とするオモラシ監視プログラム。
【発明の詳細な説明】
【技術分野】
【０００１】
本発明は、オモラシ監視システム及び該システムに用いられるオモラシ監視方法、オモラシ監視プログラムに関し、オモラシ状態を検知する対象物に装着される電波を利用した認証タグと、前記対象物毎の管理情報を登録した管理装置とを無線通信を介して接続することによって、オモラシ状態を監視することを内容とする。
【背景技術】
【０００２】
オムツを必要とする人が失禁や排泄（以下、総称してオモラシという）をした時、オムツ離れ直後の幼児や介護を必要とする人が布団の中でオモラシをした時、ペットがペット用トイレで排泄をした時等、このような時に本人に代わって、家族や介護者或いは飼い主等にオモラシ状態が通知されると便利である。
【０００３】
この種の従来技術としては、特許文献１乃至３等に記載のものが開示されている。まず、特許文献１に記載の「被介護者情報検知システム」は、被介護者に対して、着用しているオムツに配設され排泄物の有無を検出する排便・排尿センサ、寝具に配設され離床を検出するシートセンサ及び介護者を呼ぶ時に操作する呼び出しスイッチを設けて、被介護者の状態を検出し、その識別コードを送信する発信機と、送信した識別コードを受信して、その状態を被介護者毎に対応した音声メッセージを出力する受信機とを無線を介して接続することによって、介護者が被介護者を特定し、その状態を把握することができる構成になっている。
【０００４】
次に、特許文献２に記載の「悪臭源検出排除方法及び悪臭源検出排除装置」は、床面に２次元的に配置した複数の悪臭検知用センサと、悪臭検知用センサの検知データが伝送される制御装置と、制御装置に伝送された検知データに基づいて悪臭の種類と強さに応じてスクエアエリア毎に割り当てた色彩で彩色して表示する画面表示装置とを設けて、悪臭源の種類、強さ及び発生場所を２次元的な濃淡色画像として可視化することができ、検出悪臭強度が予め設定した閾値よりも高い場合は、職員の携帯通信機器（例えば、ＰＨＳ(Personal Handyphone System)）に警報を発信して画像表示装置の観察を促すことができる構成になっている。
また、制御装置からの指令に基づいて悪臭源の近隣まで移動可能である自走式のロボットによって、悪臭源をロボット自身の中へ収納し、消毒剤・消臭剤の散布、悪臭源の清掃を行うことができるようになっている。
【０００５】
次に、特許文献３に記載の「ＩＣタグ及びＩＣタグを用いた濡れ検出システム並びに濡れ検出おむつ」は、所定の情報が格納されているＩＣ(Integrated Circuit)チップとＩＣチップに接続される非接触通信用アンテナコイルとを有するＩＣタグと、検出装置とを設けて、外部アンテナを介してＩＣタグから発信される情報又はその受信状態に基づいて、ＩＣタグが装着されている部位の濡れ状態を検出することができる構成になっている。
また、ＩＣチップに電圧値の変動によって、濡れ状態を検知する濡れ検知端子を接続することによって、ＩＣタグは濡れ状態を示す情報又は乾き状態を示す情報を発信することができるようになっている。
また、検出装置と濡れ状態を管理する管理コンピュータとを接続することによって、管理コンピュータは検出した濡れ状態に応じた対応を指示することができるようになっている。
【特許文献１】実用新案登録第３０２５０９７号公報
【特許文献２】特開２００５−０６１８３６号公報
【特許文献３】特開２００６−３４９４１８号公報
【発明の開示】
【発明が解決しようとする課題】
【０００６】
しかしながら、上記特許文献１乃至３にも不都合な点があり、特許文献１においては、同一時期に複数の発信機から複数のセンサやスイッチよる検出が発生した場合は、受信機側で複数の音声データが連続してスピーカから発音されることになり、介護者にとってはこの音声を聞き漏らすこともあり、被介護者への対応漏れに繋がる恐れが生じる。このような問題点に対する対策として、センサを配設したオムツや寝具の取り替えに関する介護者による被介護者への対応管理については行われていない。ようするに、介護者に対して、オムツの取り替えに関する音声メッセージを出力しているだけで、介護者がオムツを取り替えたか否かが不明であり、取り替えなかった場合の督促の有無も不明である。
また、音声データがスピーカから発音されるため、深夜の場合、介護者以外の人にとっては騒音となり、迷惑である。
【０００７】
特許文献２においても、検出悪臭強度が高い場合に、職員の携帯通信機器に警報を発信して画像表示装置の観察を促すことで終わっており、特許文献１と同様に、職員側に対するその後の床面の悪臭源排除に関する対応管理については行われていない。
【０００８】
また、特許文献３においても、オムツや肌着の場合に、管理コンピュータによって濡れ状態に応じた対応を指示することで終わっており、特許文献１、２と同様に、その後のオムツや肌着の取り替えに関する対応管理については行われていない。
【０００９】
本発明は、上述した事情に鑑みてなされたものであり、上述のような問題を解決することができるオモラシ監視システム及び該システムに用いられるオモラシ監視方法、オモラシ監視プログラムを提供することを目的とする。
【課題を解決するための手段】
【００１０】
上記課題を解決するために、請求項１記載の発明は、オモラシ状態を検知する対象物に装着される電波を利用した認証タグと、前記対象物毎の管理情報を登録した管理装置とを無線通信を介して接続することによって、オモラシ状態を監視するオモラシ監視システムに係り、前記管理装置は、前記管理情報について、当該検知結果にオモラシ状態が設定され、かつ、当該報知時刻に所定の時刻が設定されている場合は、当該報知内容を当該報知方法に基づいて報知して、当該対象物の取り替えを督促する対象物取替督促手段を備えることを特徴としている。
【００１１】
また、請求項２記載の発明は、請求項１記載のオモラシ監視システムに係り、前記管理情報には、前記対象物を特定する識別コード毎に、検知結果、報知日付時刻、報知間隔時間及び報知方法とが設定され、前記対象物取替督促手段は、前記検知結果にオモラシ状態が設定され、かつ、前記報知日付時刻に前記報知間隔時間を加算した日付時刻が現在日付時刻を超過している場合は、当該報知内容を前記報知方法に基づいて報知すると共に、前記現在日付時刻を前記報知日付時刻に設定して登録する機能を有することを特徴としている。
【００１２】
また、請求項３記載の発明は、請求項１又は２記載のオモラシ監視システムに係り、前記管理装置は、前記報知方法に前記対象物の種類及び前記検知結果の種類に応じて、音声情報、映像情報、文字情報及び光情報のそれぞれが備える複数の情報の中から、任意の情報を選択して設定する設定変更手段を備えることを特徴としている。
【００１３】
また、請求項４記載の発明は、請求項１乃至３の何れか１に記載のオモラシ監視システムに係り、前記管理情報の前記報知方法には、予め標準方法が設定されており、前記設定変更手段は、該標準方法の任意の箇所を個別方法に変更して設定する機能を有することを特徴としている。
【００１４】
また、請求項５記載の発明は、請求項１乃至４の何れか１に記載のオモラシ監視システムに係り、前記認証タグは、前記識別コードと前記検知結果とを設定した検知情報を送信する検知情報送信手段を備え、前記管理装置は、前記認証タグからの前記検知情報を受信し、当該検知結果を該当する前記管理情報に登録する検知情報登録手段と、該検知情報登録手段に続いて、当該管理情報の前記報知内容を前記報知方法に基づいて報知し、当該報知日付時刻を前記管理情報に登録する検知情報報知手段とを備えることを特徴としている。
【００１５】
また、請求項６記載の発明は、請求項１乃至５の何れか１に記載のオモラシ監視システムに係り、前記管理情報には、報知先装置が設定され、前記管理装置は、通信端末と通信ネットワークを介して接続され、前記検知情報報知手段及び前記対象物取替督促手段は、前記報知先装置に設定されている前記通信端末に前記報知内容を報知する機能を有することを特徴としている。
【００１６】
また、請求項７記載の発明は、請求項６記載のオモラシ監視システムに係り、前記管理情報には、前記報知先装置側における報知確認が設定され、前記検知情報報知手段は、未確認を設定した前記報知確認を前記管理情報に登録する機能を有し、前記管理装置は、前記通信端末からの前記報知確認の入力を受け付けて、現在日付時刻を前記報知日付時刻に設定し、スペースを前記報知確認に設定して前記管理情報に登録する報知確認送信手段を備えることを特徴としている。
【００１７】
また、請求項８記載の発明は、請求項７記載のオモラシ監視方法に係り、前記管理情報には、報知先、処理種類及び登録日付時刻が設定され、前記検知情報登録手段は、登録を前記処理種類に、現在日付時刻を前記登録日付時刻に設定する機能を有し、前記検知情報報知手段は、報知を前記処理種類に、現在日付時刻を前記登録日付時刻に設定する機能を有し、前記対象物取替督促手段は、督促を前記処理種類に、現在日付時刻を前記登録日付時刻に設定する機能を有し、前記設定変更手段は、変更を前記処理種類に、現在日付時刻を前記登録日付時刻に設定する機能を有し、前記報知確認送信手段は、確認を前記処理種類に、現在日付時刻を前記登録日付時刻に設定する機能を有し、前記管理装置は、前記通信端末からの管理情報照会メニューの選択及び前記報知先の入力を受け付けて、該報知先に基づいて、該当する前記管理情報を取得し、該管理情報を前記識別コード、前記登録日付時刻の昇順に分類して当該通信端末の画面に表示し、照会を前記処理種類に、現在日付時刻を前記登録日付時刻に設定して前記管理情報に登録する管理情報照会手段を備えることを特徴としている。
【００１８】
また、請求項９記載の発明は、オモラシ状態を検知する対象物に装着される電波を利用した認証タグと、前記対象物毎の管理情報を登録した管理装置とを無線通信を介して接続されるオモラシ監視システムに用いられ、オモラシ状態を監視するオモラシ監視方法に係り、予め、前記管理情報を前記管理装置に登録する管理情報登録ステップと、前記管理情報について、当該検知結果にオモラシ状態が設定され、かつ、当該報知時刻に所定の時刻が設定されている場合は、当該報知内容を当該報知方法に基づいて報知して、当該対象物の取り替えを督促する対象物取替督促ステップとを有することを特徴としている。
【００１９】
また、請求項１０記載の発明は、請求項９記載のオモラシ監視方法に係り、前記管理情報には、前記対象物を特定する識別コード毎に、検知結果、報知日付時刻、報知間隔時間及び報知方法とが設定され、前記対象物取替督促ステップは、前記検知結果にオモラシ状態が設定され、かつ、前記報知日付時刻に前記報知間隔時間を加算した日付時刻が現在日付時刻を超過している場合は、当該報知内容を前記報知方法に基づいて報知すると共に、前記現在日付時刻を前記報知日付時刻に設定して登録する機能を有することを特徴としている。
【００２０】
また、請求項１１記載の発明は、請求項９又は１０記載のオモラシ監視方法に係り、前記管理情報の前記報知方法に前記対象物の種類及び前記検知結果の種類に応じて、音声情報、映像情報、文字情報及び光情報のそれぞれが備える複数の情報の中から、任意の情報を選択して設定する設定変更ステップを有することを特徴としている。
【００２１】
また、請求項１２記載の発明は、請求項９乃至１１の何れか１に記載のオモラシ監視方法に係り、前前記管理情報の前記報知方法には、予め標準方法が設定されており、前記設定変更ステップは、該標準方法の任意の箇所を個別方法に変更して設定する機能を有することを特徴としている。
【００２２】
また、請求項１３記載の発明は、請求項９乃至１２の何れか１に記載のオモラシ監視方法に係り、前記識別コードと前記検知結果とを設定した検知情報を送信する検知情報送信ステップと、前記認証タグからの前記検知情報を受信し、当該検知結果を該当する前記管理情報に登録する検知情報登録ステップと、該検知情報登録ステップに続いて、当該管理情報の前記報知内容を前記報知方法に基づいて報知し、当該報知日付時刻を前記管理情報に登録する検知情報報知ステップとを有することを特徴としている。
【００２３】
また、請求項１４記載の発明は、請求項９乃至１３の何れか１に記載のオモラシ監視方法に係り、前記管理情報には、報知先装置が設定され、前記管理装置は、通信端末と通信ネットワークを介して接続され、前記検知情報報知ステップ及び前記対象物取替督促ステップは、前記報知先装置に設定されている前記通信端末に前記報知内容を報知する機能を有することを特徴としている。
【００２４】
また、請求項１５記載の発明は、請求項１４記載のオモラシ監視方法に係り、前記報知先装置側における報知確認が設定され、前記検知情報報知ステップは、未確認を設定した前記報知確認を前記管理情報に登録する機能を有し、前記通信端末からの前記報知確認の入力を受け付けて、現在日付時刻を前記報知日付時刻に設定し、スペースを前記報知確認に設定して前記管理情報に登録する報知確認送信ステップを有することを特徴としている。
【００２５】
また、請求項１６記載の発明は、請求項１５記載のオモラシ監視方法に係り、前記管理情報には、報知先、処理種類及び登録日付時刻が設定され、前記検知情報登録ステップは、登録を前記処理種類に、現在日付時刻を前記登録日付時刻に設定する機能を有し、前記検知情報報知ステップは、報知を前記処理種類に、現在日付時刻を前記登録日付時刻に設定する機能を有し、前記対象物取替督促ステップは、督促を前記処理種類に、現在日付時刻を前記登録日付時刻に設定する機能を有し、前記設定変更ステップは、変更を前記処理種類に、現在日付時刻を前記登録日付時刻に設定する機能を有し、前記報知確認送信ステップは、確認を前記処理種類に、現在日付時刻を前記登録日付時刻に設定する機能を有し、前記通信端末からの管理情報照会メニューの選択及び前記報知先の入力を受け付けて、該報知先に基づいて、該当する前記管理情報を取得し、該管理情報を前記識別コード、前記登録日付時刻の昇順に分類して当該通信端末の画面に表示し、照会を前記処理種類に、現在日付時刻を前記登録日付時刻に設定して前記管理情報に登録する管理情報照会ステップを有することを特徴としている。
【００２６】
また、請求項１７記載の発明は、オモラシ監視プログラムに係り、コンピュータに請求項９乃至１６の何れか１に記載のオモラシ管理方法を実行させることを特徴としている。
【発明の効果】
【００２７】
本発明によれば、音声によるオモラシ状態の報知が連続して行われた場合、報知先側が必要とする報知を聞き漏らして未対応のままとなっても、対象物取替督促手段によって、報知先側の対応が終了するまで、報知が繰り返されることで、報知先側に対して確実に対応を督促することができる。
また、報知先側に管理情報照会機能を提供していることによって、報知先側は、担当する使用者のオモラシ状態に対して、対象物取替督促手段が実施された履歴を中心にその実施時間状況を把握することで、オモラシ状態の要注意の時間帯を把握することができる。特に、オモラシ状態に対する未対応が多い報知先側にとっては、対象物の使用者に対する対応時間帯の再検討を行うための情報として利用することができ、このことは、報知先側に対しては対象物を取り替える負担の軽減、使用者に対しては不快感の低減及び衛生面や健康面の維持にも繋げることができる。
【発明を実施するための最良の形態】
【００２８】
以下に、図面を参照して、本発明の実施の形態について説明する。
第１の実施の形態
図１は本発明におけるオモラシ監視システムのシステム概念図であり、オモラシ状態を検知するための対象物に装着されるＩＣタグ（（認証タグ）、以下、ＩＣタグという）１と、ＩＣタグ１と無線通信を介して接続される管理装置１０とから概ね構成されている。
【００２９】
図２はＩＣタグ１の構成を示すブロック図であり、ＩＣタグ１は、センサを有するアクティブ型ＲＦＩＤ(Radio Frequency Identification)タグ等であり、装着される対象物としては、オムツ、ベッド及びペット用トイレ等の使用者のオモラシ状態の後に報知者側がその対応を要する対象物に装着される。
ＩＣタグ１は、対象物の濡れ状態の度合いを検知する濡れ検知センサ１ａ及び対象物の悪臭の強さの度合いを検知する悪臭検知センサ１ｂと、使用者と対象物とを特定する使用者コードと対象物コードを記憶するメモリとしてのＩＣチップ１ｃと、ＩＣチップ１ｃの電源供給や情報の送受信の際に使用されるアンテナ１ｄとを有し、濡れ検知センサ１ａ及び悪臭検知センサ１ｂの何れか又は両方が所定の閾値以上（オモラシ状態）を検知すると、ＩＣチップ１ｃに記憶された使用者コード及び対象物コードとセンサからの検知結果とを検知情報として送信する。
【００３０】
図３は管理装置１０の構成を示すブロック図であり、管理装置１０は、ロボット型の情報処理装置であり、制御部１１、通信部１２、記憶部１３、操作部１４、マイクロフォン部１５、スピーカ部１６、表示部１７、ランプ部１８及びカメラ部１９等を構成する。
制御部１１は、ＣＰＵ（中央処理装置）等からなり、通信制御プログラムや記憶部１３に記憶された各種処理プログラムを実行し、管理装置１０本体の構成各部を制御する。
通信部１２は、ＩＣチップ１ｃに記憶された情報の読み書きを、非接触電力伝送技術を使用して行うためのリーダー/ライタを含み、リーダー/ライタ側のアンテナから電波を発信すると、ＩＣタグ１側のアンテナ１ｄが電波を受信して電力を発生させ、必要な処理を行って検知情報を送信する。リーダー/ライタ側ではＩＣタグ１からの検知情報を受信する。
記憶部１３は、ハードディスク装置等の記録装置であり、各種処理プログラム及び各種データ等が記録されている。
【００３１】
各種処理プログラムとしては、検知情報登録プログラム１３ａ、検知情報報知プログラム１３ｂ、対象物取替督促プログラム１３ｃ、設定変更プログラム１３ｄ等の処理プログラムから構成される。
検知情報登録プログラム１３ａは、ＩＣタグ１からの検知情報を受信すると共に、報知内容である検知結果と、「登録」を設定した処理種類と、現在日付時刻を設定した登録日付時刻とを該当する管理情報１３ｇに登録するプログラムである。
検知情報報知プログラム１３ｂは、検知情報登録プログラム１３ａよって管理情報１３ｇに登録した報知内容を、報知方法に基づいて、スピーカ部１６、表示部１７及びランプ部１８等に報知すると共に、報知日付時刻と、未確認を設定した報知確認と、「報知」を設定した処理種類と、現在日付時刻を設定した登録日付時刻とを管理情報１３ｇに登録するプログラムである。
対象物取替督促プログラム１３ｃは、管理情報１３ｇの検知結果にオモラシ状態が設定され、かつ、報知日付時刻に報知間隔時間を加算した日付時刻が現在日付時刻を超過している場合は、報知内容を報知方法に基づいて報知すると共に、「督促」を設定した処理種類と、現在日付時刻を設定した登録日付時刻とを管理情報１３ｇに登録するプログラムである。
設定変更プログラム１３ｄは、対象物の使用者毎に報知内容、報知方法及び報知間隔時間等を個別設定に変更すると共に、「変更」を設定した処理種類と、現在日付時刻を設定した登録日付時刻とを管理情報１３ｇに登録するプログラムである。
【００３２】
各種データとしては、管理情報１３ｇ、音声情報１３ｈ、映像情報１３ｉ及び文字情報１３ｊ等のデータから構成される。
管理情報１３ｇは、使用者コード及び対象物コード毎に、報知内容、報知日付時刻、報知先装置、報知先名、報知間隔時間、報知内容の報知方法、処理種類及び登録日付時刻等の情報から構成される。
使用者コードと対象物コードは、オモラシ状態を検知するためのＩＣタグ１が装着される使用者と対象物とを特定するコードである。
報知内容は、検知したＩＣタグ１が装着されている対象物の使用者、対象物の種類及び検知した検知結果等の情報であり、対象物の使用者は、病院等で使用される患者や被介護者、個人宅で使用される家族、高齢者、乳幼児、幼児及びペット等の名前である。対象物の種類は、「オムツ」、「ベッド」及び「ペット用トイレ」等である。
報知先装置には、管理装置１０である「ロボット」が設定される。
報知先名には、家族、介護者、飼い主等の名前が設定される。
報知間隔時間は、オモラシ状態の対象物の取替依頼について、報知先に対して繰り返し報知する時間間隔を設定する。
【００３３】
報知内容の報知方法として使用される情報は、音声情報１３ｈ、映像情報１３ｉ、文字情報１３ｊ及び光情報に分類される。管理情報１３ｇは、予め標準設定された情報と、使用者毎に個別設定される情報とに区分され、標準設定された音声情報１３ｈ、映像情報１３ｉ及び文字情報１３ｊ及び光情報の各情報は、使用者の分類、対象物の種類及び検知結果に対応して、複数のファイルと関連付けられている。つまり、報知内容と報知方法の関係は、１：Ｎの関係に関連付けられており、各情報毎の報知方法が複数ファイルの中から選択可能になっている。報知方法の選択後の個別設定の報知内容と報知方法の関係は、１：１の関係に関連付けられ、管理情報１３ｇには、使用者コード及び対象物コード毎に、検知結果に対応した音声による報知方法、映像による報知方法、文字による報知方法及び光による報知方法が設定される。また、これらの情報の設定手順は、まず、該当する使用者の分類及び対象物の種類を選択し、次に、検知結果毎について、それぞれの音声、映像、文字及び光による報知方法を、順次選択する手順になっている。
【００３４】
音声情報１３ｈの各ファイルは、検知結果毎の音声による報知方法と関連付けられ、ＩＣタグ１が装着されている対象物の種類及び検知結果に対応した音声がスピーカ部１６から発音される。また、対象物の使用者に対応した音声情報１３ｈをマイクロフォン部１５によって録音したファイルと関連付けてもよい。また、検知結果に応じて、濡れ検知センサ１ａが検知した場合は「声」、悪臭検知センサ１ｂが検知した場合は「Ａ音楽」、濡れ検知センサ１ａ及び悪臭検知センサ１ｂが検知した場合は「Ｂ音楽」が流れように設定する。「Ａ音楽」や「Ｂ音楽」は、予め音声情報１３ｈに登録されている標準設定の中から選択してもよい。
【００３５】
映像情報１３ｉの各ファイルは、検知結果毎の映像による報知方法と関連付けられ、ＩＣタグ１が装着されている対象物の種類及び検知結果に応じて、映像が文字情報１３ｊと共に表示部１７に表示される。また、対象物の使用者に対応した映像情報１３ｉをカメラ部１９によって撮影したファイルと関連付けてもよい。また、音声情報１３ｈと関連付けて、濡れ検知センサ１ａが検知した場合、悪臭検知センサ１ｂが検知した場合、濡れ検知センサ１ａ及び悪臭検知センサ１ｂが検知した場合に表示されるように、予め映像情報に１３ｉに登録されている標準設定の中から選択して設定してもよい。
【００３６】
文字情報１３ｊの各ファイルは、検知結果毎の文字による報知方法と関連付けられ、ＩＣタグ１が装着されている対象物の種類及び検知結果に応じて、文字で表示部１７に表示される。また、音声情報１３ｈや映像情報１３ｉと同様に、対象物の使用者に対応した文字情報を操作部１４から入力された文字を設定してもよい。例えば、予め標準設定されている文字情報１３ｊの任意の文章を変更して新たな文字情報１３ｊとして追加登録したファイルと関連付けてもよい。
【００３７】
光情報のランプ部とランプ部の点灯色は、検知結果毎の光による報知方法と関連付けられ、ＩＣタグ１が装着されている対象物の種類と検知結果に応じて、該当するランプ部が該当する光の色で点灯する。例えば、対象物の種類が「オムツ」の場合はランプ部１８ａが、「ベッド」の場合はランプ部１８ｂが、「ペット用トイレ」の場合はランプ部１８ｃが点灯し、更に、濡れ検知センサが検知した場合は「青色」が、悪臭検知センサが検知した場合は「赤色」が、濡れ検知センサと悪臭検知センサが検知した場合は「黄色」が点灯する。これらの表示も対象物の使用者に対応した個別設定が可能である。
【００３８】
処理種類には、検知情報登録プログラム１３ａが実行された場合は「登録」が、検知情報報知プログラム１３ｂが実行された場合は「報知」が、対象物取替督促プログラム１３ｃが実行された場合は「督促」が、設定変更プログラム１３ｄが実行された場合は「変更」が設定される。
【００３９】
操作部１４は、電源ＯＮ／ＯＦＦの電源キー、設定変更処理等を選択する際に用いるメニュー選択キー、マイクロフォン部１５を用いて音声情報１３ｈを録音する際に用いる音声モード選択キー、カメラ部１９からの映像情報１３ｉを撮影して録画する際に用いる録画モード選択キー、文字情報１３ｊや光情報を変更する際に文字や数字等を入力するための文字キー、表示部１７に表示された表示画面上のカーソルを上下左右方向へ移動させるためのカーソルキー等が配置され、ロボットの正面に取り出し可能に収納されている。
マイクロフォン部１７は、音声情報１３ｈを録音する際に用い、ロボットの側面に取り出し可能に収納されている。
スピーカ部１６は、オモラシ状態を検知した際に音声情報１３ｈを出力する。
表示部１７は、液晶ディスプレイ等からなり、オモラシ状態を検知した際に映像情報１３ｉや文字情報１３ｊ等を表示する。
ランプ部１８ａ、１８ｂ、１８ｃは、オモラシ状態を検知した際に光で報知される。
カメラ部１９は、映像情報１３ｉとして録画する際に用いる。
【００４０】
以下、オモラシ監視システムの動作について、フローチャートを参照して説明する。
図４はオモラシ監視システムの全体の処理概要を示すフローチャートであり、設定変更処理はオモラシ監視システムの初期導入時等に使用者側のメニュー選択キーの押下によって、対象物の種類及び検知センサの種類毎に、報知内容の報知方法についての個別設定が行われる。検知情報送信処理〜検知情報報知処理はＩＣタグ１がオモラシ状態を検知した都度、順次、自動的に行われる。また、対象物取替督促処理は管理情報１３ｇの設定内容に応じて、自動的に行われる。
【００４１】
次に、設定変更処理の動作について、図５のフローチャートを参照して説明する。
管理装置１０は、対象物の使用者名の入力と、使用者の分類、対象物の種類及び検知センサの種類の選択を促す操作ガイドを表示部１７に表示する（ステップＡ１）。
次に、操作ガイドに基づいた入力と選択とを受け付けて、該当する標準設定がされた音声情報１３ｈの一覧とその一覧の中から選択を促す操作ガイドとを表示部１７に表示する（ステップＡ２）。
次に、操作ガイドに基づいた選択を受け付けて、該当する音声をスピーカ部１６から発音すると共に、発音した音声に対するＯＫ又は再選択の確認を促す操作ガイドを表示部１７に表示する（ステップＡ３）。
次に、操作ガイドに基づいた操作を受け付けて、個別設定する音声情報１３ｈを管理情報１３ｇに順次登録する（ステップＡ４）。
以下同様の手順で映像情報１３ｉ、文字情報１３ｊ及び光情報についても標準設定の設定内容から個別設定に変更すると共に、「変更」を設定した処理種類と、現在日付時刻を設定した登録日付時刻とを管理情報１３ｇに登録する（ステップＡ５：設定変更手段）。
【００４２】
次に、検知情報送信処理〜検知情報送信処理の動作について、図６のフローチャートを参照して説明する。
ＩＣタグ１は、濡れ検知センサ１ａ又は悪臭検知センサ１ｂによる対象物のオモラシ状態の検知を受け付ける（ステップＡ６）。
次に、ＩＣチップ１ｃから取得した使用者コード及び対象物コードと、各検知センサの検知結果とを検知情報として送信する（ステップＡ７：検知情報送信手段）。検知結果には、濡れ検知センサ１ａ及び悪臭検知センサ１ｂが検知した場合は、それぞれのセンサの検知結果に「１」が設定され、何れかが検知しなかった場合は、該当するセンサの検知結果に「０」が設定される。
管理装置１０は、ＩＣタグ１からの検知情報を受信し、受信した検知情報の使用者コード及び対象物コードによって、該当する管理情報１３ｇを取得し、検知結果と、「登録」を設定した処理種類と、現在日付時刻とを設定した登録日付時刻とを、取得した管理情報１３ｇに設定して登録する（ステップＡ８：検知情報登録手段）。
管理装置１０は、ステップＡ８で取得した管理情報１３ｇの報知内容（対象物の種類及び検知結果）を対応する音声、映像、文字及び光等の報知方法に基づいて報知する（ステップＡ９）。
次に、報知日付時刻と、「未確認」を設定した報知確認と、「報知」を設定した処理種類と、現在日付時刻を設定した登録日付時刻とを管理情報１３ｇに登録する（ステップＡ１０：検知情報報知手段）。この場合、音声、映像、文字及び光による報知方法の中で複数の報知方法が設定されている場合は、何れの報知方法についても報知する。
また、報知後に対象物の取替を行った場合は、その使用者の該当する管理装置１３ｇの検知結果は、オモラシ状態が解除された場合のみ、オモラシ状態がリセットされる。
【００４３】
次に、対象物取替督促処理の動作について、図７のフローチャートを参照して説明する。
管理装置１０は、検知結果にオモラシ状態が設定されている管理情報１３ｇを対象に（ステップＡ１１）、かつ、報知日付時刻に報知間隔時間を加算した日付時刻が現在日付時刻を超過しているか否かを判定する（ステップＡ１２）。
次に、加算した日付時刻が現在日付時刻を超過している場合は、報知内容（対象物の種類及び検知結果）を対応する音声、映像、文字及び光等の報知方法に基づいて報知（ステップＡ１２の管理情報１３ｇの使用者に対して、オモラシ状態の対象物の取替依頼）すると共に、督促を設定した処理種類と、現在日付時刻を設定した登録日付時刻とを管理情報１３ｇに登録する（ステップＡ１３：対象物取替督促手段）。超過した管理情報１３ｇがない場合は、処理を終了する。
【００４４】
この第１の実施の形態によれば、一度に複数のオモラシ状態が発生して、音声等によるオモラシ状態の報知が連続して行われ、報知先側が必要とする報知を聞き漏らした場合やその場を離席した場合に、未対応になっても、対象物取替督促手段によって、報知先側の対応が終了するまで、報知が繰り返されることで、報知先側に対して確実に対応を督促することができる。
【００４５】
第２の実施の形態
第２の実施の形態では第１の実施の形態と異なる点について説明する。
図８はこの発明の第２の実施の形態を示すシステム概念図であり、オモラシ状態を検知するための対象物に装着されるＩＣタグ１と、ＩＣタグ１と無線通信を介して接続される管理装置１０と、管理装置１０と通信ネットワークを介して接続され、新たに追加された通信端末２とから概ね構成されている。
【００４６】
図９は管理装置１０の構成を示すブロック図であり、制御部１１は、ＣＰＵ（中央処理装置）等からなり、通信制御プログラムがホームページを閲覧するためのプログラムとしてのブラウザ及び記憶部１３に記憶された各種処理プログラムを実行し、管理装置１０本体の構成各部を制御する。
通信部１２は、ＩＣチップ１ｃに記憶された情報の読み書きを行うためのリーダー/ライタを含み、その他に、通信端末２に対する通信ネットワークとして、インターネットを介して通信を行う。
記憶部１３は、ハードディスク装置等の記録装置であり、通信端末２との通信を制御するための通信制御プログラム、各種処理プログラム及び各種データ等が記録されている。
【００４７】
各種処理プログラムとして、検知情報登録プログラム１３ａ、検知情報報知プログラム１３ｂ、対象物取替督促プログラム１３ｃ、設定変更プログラム１３ｄの他に、報知確認送信プログラム１３ｅや管理情報照会プログラム１３ｆ等の処理プログラムが追加されている。この内、報知確認送信プログラム１３ｅ及び管理情報照会プログラム１３ｆは、オモラシ監視システムのホームページにアクセスした通信端末２も利用することができる。
報知確認送信プログラム１３ｅは、通信端末２からの報知確認を受け付けると共に、現在日付時刻を報知日付時刻に、スペースを報知確認に、確認を前記処理種類に、現在日付時刻を前記登録日付時刻に設定して管理情報１３ｇに登録するプログラムである。
管理情報照会プログラム１３ｆは、通信端末２からの管理情報照会メニューの選択及び報知先の入力を受け付けて、報知先に基づいて、該当する管理情報１３ｇを取得し、管理情報１３ｇを使用者コード、対象物コード、登録日付時刻の昇順に分類して通信端末２の画面に表示すると共に、照会を処理種類に、現在日付時刻を登録日付時刻に設定して管理情報１３ｇに登録するプログラムである。
【００４８】
各種データとして、管理情報１３ｇ、音声情報１３ｈ、映像情報１３ｉ及び文字情報１３ｊ等のデータから構成され、管理情報１３ｇの報知内容としての報知先装置には、管理装置１０である「ロボット」の他に、携帯電話機やパソコン等の通信端末２を設定することができる。
報知確認は、オモラシ監視システム側が報知先側に対して、検知情報報知処理や対象物取替督促処理を行うことによって、オモラシ状態が発生したことを報知し、これに対して、報知先側がその報知を確認したことをオモラシ監視システム側に通知する場合に使用される。検知情報報知処理や対象物取替督促処理を行った状態では、報知先側による報知確認には「未確認」状態が設定され、報知先側が報知確認送信処理を行うことで、報知確認に「スペース」が設定され、未確認状態が解除される。但し、未確認状態が解除されても、次回の対象物取替督促処理の実施時期が報知確認日付時刻を基準に延期されるだけである。
処理種類には、「登録」、「報知」、「督促」、「変更」の他に報知確認送信プログラム１３ｅが実行された場合は「確認」が、管理情報照会プログラム１３ｆが実行された場合は「照会」が設定される。
報知内容の報知方法として使用される音声情報１３ｈ、映像情報１３ｉ及び文字情報１３ｊは、「ロボット」と同様に通信端末２にも適用される。
また、音声情報１３ｈには、同一音声情報１３ｈを繰り返し報知する報知回数と夜間等における消音時間帯を設定することもできる。
【００４９】
操作部１４は、電源キー、設定変更処理の他に管理情報照会処理が追加されたメニュー選択キー、音声モード選択キー、録画声モード選択キー、テンキー、カーソルキー等の他に、報知確認送信処理を選択する際に用いる報知確認キーが追加されている。
【００５０】
以下、オモラシ監視システムの動作について、フローチャートを参照して説明する。
図１０はオモラシ監視システムの全体の処理概要を示すフローチャートであり、報知確認送信処理は、ホームページにアクセスして報知確認送信処理のメニューを選択した際、又は報知確認キーの押下時に報知確認が行われる。又、管理情報照会処理もメニュー選択キーを押下して行う他に、ホームページにアクセスして管理情報照会処理のメニューを選択することによって、オモラシ状態の対象物の履歴について照会することができる。
【００５１】
次に、報知確認送信処理の動作について、図１１のフローチャートを参照して説明する。
管理装置１０は、通信端末２からの報知確認を受け付けると、又は管理装置１０からの報知確認の入力を受け付ける（ステップＡ１４）。
次に、管理装置１０は、スピーカ部１７からの発音は停止する（ステップＡ１５）。
次に、現在日付時刻を報知日付時刻に、スペースを報知確認に、「確認」を処理種類に、現在日付時刻を前記登録日付時刻に、それぞれ設定して管理情報１３ｇに登録する（ステップＡ１６：報知確認送信手段）。
報知確認による方法は、管理装置１０の報知確認キー押下による方法と通信端末２を使用して、ホームページにアクセスして報知確認送信処理のメニューを選択して行う方法の何れかを選択することができるが、何れの方法もオモラシ状態の対象物を取り替えて、オモラシ状態でない対象物を再度検知しない限り、対象物取替督促処理は行われる。但し、報知確認キー押下による方法は、音声等を即、消音したい場合に便利である。
【００５２】
次に、管理情報照会処理の動作について、図１２のフローチャートを参照して説明する。
管理装置１０は、通信端末２からの管理情報照会の報知先の入力を受け付ける（ステップＡ１７）。
次に、入力を受け付けた報知先に基づいて、該当する管理情報１３ｇを取得し、管理情報１３ｇを使用者コード別、対象物コード別に、登録日付時刻の昇順に分類して、通信端末２の画面に表示する（ステップＡ１８）。
報知先の入力を省略した場合は、管理情報１３ｇを報知先コード別、使用者コード別、対象物コード別に、登録日付時刻の昇順に分類して、通信端末２の画面に表示する（ステップＡ１９）。また、「照会」を処理種類に、現在日付時刻を登録日付時刻に設定して管理情報１３ｇに登録する（管理情報照会手段）。
【００５３】
この第２の実施の形態によれば、報知先側は、対象物取替督促手段が実施された履歴を中心にその実施時間状況を把握することで、オモラシ状態の要注意の時間帯を把握することで、使用者に対する対応時間帯の再検討を行うための情報として利用することができる。
また、報知先側が複数の報知先を管理する場合（介護病院等）は、報知先毎の管理にも利用することができる。
【００５４】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
【００５５】
例えば、上述の第１の実施の形態では、個々のＩＣタグ１と、全体のＩＣタグ１を管理する管理装置１０とを接続する形態にしたが、個々のＩＣタグ１を纏めてグループ単位毎のＩＣタグ１の管理を必要とする場合は、個々のＩＣタグ１と全体を管理する管理装置１０との中間にグループ単位に管理するクラスタ装置等を介入する形態にしてもよい。また、管理装置１０としてロボットの例を示したが、他の機器でもよい。
また、上述の実施の形態は、その目的及び構成などに特に矛盾や問題がない限り、互いの技術を流用することができる。
【図面の簡単な説明】
【００５６】
【図１】本発明の第１の実施の形態であるオモラシ監視システムの構成を示すシステム概念図である。
【図２】同システムのＩＣタグの構成を示すブロック図である。
【図３】同システムの管理装置の構成を示すブロック図である。
【図４】同システムの全体の処理概要を示すフローチャートである。
【図５】同システムの設定変更処理の動作を示すフローチャートである。
【図６】同システムの報知情報送信処理〜報知情報報知処理の動作を示すフローチャートである。
【図７】同システムの対象物取替督促処理の動作を示すフローチャートである。
【図８】本発明の第２の実施の形態であるオモラシ監視システムの構成を示すシステム概念図である。
【図９】同システムの管理装置の構成を示すブロック図である。
【図１０】同システムの全体の処理概要を示すフローチャートである。
【図１１】同システムの報知確認受信処理の動作を示すフローチャートである。
【図１２】同システムの管理情報照会処理の動作を示すフローチャートである。
【符号の説明】
【００５７】
１  ＩＣタグ
１ａ  濡れ検知センサ
１ｂ  悪臭検知センサ
１ｃ  ＩＣチップ
１ｄ  アンテナ
２  通信端末
１０  管理装置
１１  制御部
１２  通信部
１３  記憶部
１３ａ  検知情報登録プログラム
１３ｂ  検知情報報知プログラム
１３ｃ  対象物取替督促プログラム
１３ｄ  設定変更プログラム
１３ｅ  報知確認送信プログラム
１３ｆ  管理情報照会プログラム
１３ｇ  管理情報
１３ｈ  音声情報
１３ｉ  映像情報
１３ｊ  文字情報
１４  操作部
１５  マイクロフォン部
１６  スピーカ部
１７  表示部
１８  ランプ部
１９  カメラ部
【図１】
2008217724.tif 000003
【図２】
2008217724.tif 000004
【図３】
2008217724.tif 000005
【図４】
2008217724.tif 000006
【図５】
2008217724.tif 000007
【図６】
2008217724.tif 000008
【図７】
2008217724.tif 000009
【図８】
2008217724.tif 000010
【図９】
2008217724.tif 000011
【図１０】
2008217724.tif 000012
【図１１】
2008217724.tif 000013
【図１２】
2008217724.tif 000014